(57)【要約】【課題】ＩＣカード等の発行や回収、回収したＩＣカード等の再発行が確実にでき、しかも構造が簡単でスペースをとらないリーダライタユニットを提供する。【解決手段】ＩＣカード等のカードにデータの読み込み及び書き込みを行うリードライト部を備えたリーダライタユニットであって、前記リードライト部の奥側に、新規に発行されるカード、又は回収されたカードを順時重ねて収納するカードストック部を設けると共に、前記カードストック部の前部にカード押し上げ機構を設け、前記リードライト部にてデータの読み込み及び書き込みが行われるカードと前記カードストック部に収納されたカードとがデータの読み込み及び書き込み時にオーバーラップさせる。【選択図】        図１
2006113978.tif 000002
【特許請求の範囲】
【請求項１】
ＩＣカード等のカードにデータの読み込み及び書き込みを行うリードライト部を備えたリーダライタユニットであって、前記リードライト部の奥側に、新規に発行されるカード、又は回収されたカードを順時重ねて収納するカードストック部を設けると共に、前記カードストック部の前部にカード押し上げ機構を設け、前記リードライト部にてデータの読み込み及び書き込みが行われるカードと前記カードストック部に収納されたカードとがデータの読み込み及び書き込み時にオーバーラップすることを特徴とするリーダライタユニット。
【請求項２】
前記カード押し上げ機構は、偏芯カム構造であることを特徴とする請求項１記載のリーダライタユニット。
【発明の詳細な説明】
【技術分野】
【０００１】
本発明は、ＩＣカード等を使用する機器に取り付けられるリーダライタユニットに関し、とくにＩＣカード等の発行、回収、回収カードの再発行に好適なリーダライタユニットに関するものである
【背景技術】
【０００２】
今日、病院や店舗等あるいは遊技場等においてＩＣ／磁気カード等（以下単にカードという）を使った端末装置が数多く使用されている。前記端末装置は前記カードにデータの読み込み及び書き込みを行うリードライト部を備えており、該リードライト部の奥側に新規に発行されるカードを重ねて収納するカードストック部が設けられている。
【０００３】
従来のリーダライタユニットを図１で説明すると、リーダライタユニット本体１は略平板形をしており、リーダライタユニット本体１の前面（図１の左側）にはカード挿入排出口２が形成されている。リーダライタユニット本体１のカード挿入排出口２側はリードライト部４が設けられ、リードライト部４の奥側にはカードストック部５が設けられている。新規にカードが発行される場合は、カードストック部５に収納されたカード１３の最下面のカード１枚のみ駆動ローラ８により搬送され、ゲート部１２を通過しカードにデータを読み込み・書き込みを行なうリードライト部４に送られ、データの書き込み終了後カード挿入排出口２から排出される。また、カードを使用する際には前記カード挿入排出口２からカード３を挿入し、リードライト部４にてデータの読み込み・書き込みが行なわれ、再び前記カード挿入排出口２からカード３が排出される。尚、図中６a、７ａ、８はカードを搬送する駆動ローラを示し、６ｂ、７ｂは従動ローラを示す。また図中９、１０、１１はカードを感知するセンサーを示す。以上の構成によりカード３が処理されるため、リーダライタユニットはカード３の長さの２倍以上の長さを必要とするものであった。
【０００４】
また、例えば遊技場に置かれるパチンコ玉貸し機等に使用されるリーダライタユニットの場合、リーダライタユニットのカード挿入口に所定金額または残玉のデータ記録されたカードが挿入されると、選択された金額或いは玉数に対応してパチンコ玉が払い出されるようになっている。このリーダライタユニットの場合、新規にカードを発行したりカードを使用する際に記録されたデータの読み取りや書き込みは可能であるが、カードの回収や回収されたカードの再発行はできないものであった。
【０００５】
そこで、上述のようなリーダライタユニットにおいて、カードに記録された情報を読み取って清算処理等を行う機能と、使用済みのカードを回収して、且つ、この回収したカードに再度情報を書き込んで発行する機能を備え、回収したカードを積層して収納するカードストック部を備えたものがある（特許文献１参照。）。また、リードライト部の奥側に残高数が無くなったカード又は再使用可能に処理されたカードを順次重ねて収納するカード収納部を設けると共に、最も下側に収納されたカードから一枚ずつ順に分離してカード挿入口側に排出させる分離排出ローラを設けたリサイクルカードユニットも提案されている（特許文献２参照。）。
【０００６】
【特許文献１】特開平１０−２５４９９９号公報
【特許文献２】特開２００２−２００３２３号公報
【発明の開示】
【発明が解決しようとする課題】
【０００７】
しかしながら、上記特許文献１に提案されているリーダライタユニットの場合、カードを回収する構造が大きくまた複雑であるため高コストとなり、上述したパチンコ玉貸し機等には適応されないものである。また、特許文献２のリサイクルカードユニットの場合、回収されるカードが収納済カードの端面に突き当たり機械のトラブルが生じる惧れや、カードが再発行される際にスペーサー部において傷が付く惧れもある。
【０００８】
そこで本発明者らは、特願２００２−２００３２３号において簡単な構造で効率良くカードのストックや排出を行なうカードリーダライタユニットを提案した。本発明は、上記問題点に鑑みなされたものでしかも本発明者らが出願した前記特願２００２−２００３２３号をさらに改良し、カードストック部の前部にカード押し上げ機構を設けることによりカードの回収が容易になり、リードライト部にてデータの読み込み及び書き込みが行われるカードと前記カードストック部に収納されたカードとがデータの読み込み及び書き込み時にオーバーラップすることによって構造を簡単で小さくし、しかも安価なリーダライタユニットを提供するものである。
【課題を解決するための手段】
【０００９】
このため本発明では、ＩＣカード等のカードにデータの読み込み及び書き込みを行うリードライト部を備えたリーダライタユニットであって、前記リードライト部の奥側に、新規に発行されるカード、又は回収されたカードを順時重ねて収納するカードストック部を設けると共に、前記カードストック部の前部にカード押し上げ機構を設け、前記リードライト部にてデータの読み込み及び書き込みが行われるカードと前記カードストック部に収納されたカードとがデータの読み込み及び書き込み時にオーバーラップすることを第１の特徴とする。
【００１０】
また、前記カード押し上げ機構は、偏芯カム構造であることを第２の特徴とする。
【発明の効果】
【００１１】
本発明に係るリーダライタユニットによれば、ＩＣカード等の回収や回収したＩＣカードの再発行が確実にできるという優れた効果を有する。
【００１２】
また、偏芯カム構造からなるカード押し上げ機構によって、ストックされたカードが押し上げられるため、カードに傷がつくことがないという優れた効果を有する。
【００１３】
しかも、リードライト部にてデータの読み込み及び書き込みが行われるカードとカードストック部に収納されたカードとがデータの読み込み及び書き込み時にオーバーラップするため、リーダライタユニットの全長が従来より短くできるという優れた効果がある。
【発明を実施するための最良の形態】
【００１４】
以下、本発明を実施するための最良の形態を図面に示す実施例に基づいて説明するが、本発明が本実施例に限定されないことは言うまでもない。図１は従来のリーダライタユニットの一実施例を示す側面説明図である。図２は本発明に係るリーダライタユニットの一実施例を示す側面説明図である。図３は偏芯カムの動作を説明する側面説明図である。図４はリードライト時の動作を説明する側面説明図である。
【実施例】
【００１５】
図２に示すように、本発明に係るリーダライタユニット本体１は、略平板形をしており、リーダライタユニット本体１の前部（図２の左側）にはカード挿入排出口２が形成されている。リーダライタユニット本体１のカード挿入排出口２側にはリードライト部４が設けられており、カード３にデータを読み取り・書き込みを行なう。リードライト部４の後方にはカードストック部５が設けられており、カードストック部５には使用済になったり新規に発行される複数のカード１３が収納されている。リードライト部４にはカード３の通過を感知するセンサー９、１０が設けられ、該センサー９、１０からの信号によって駆動する駆動ローラ６ａ及び従動ローラ６ｂが設けられている。駆動ローラ６ａは図示しない駆動機構によって、正逆転両方向に回転駆動可能とされている。ここでリードライト部４の長さはカード３の長さである必要は無く、リードライトできる長さであれば良い。即ちリーダライタユニット本体１の長さはカード３の長さの２倍以上である必要はない。
【００１６】
リードライト部４の後方には、１枚のカード３のみが通過可能な間隔に設定されたゲート部１２が配置され、カードストック部５に収納されているカード１３の前部（リードライト部方向側）には駆動ローラ８がカード１３の最下面に当接して設けられカード１３の最下面のカードが搬送可能とされている。駆動ローラ８の近傍には偏芯カム１４が設けられカード１３の前部を押し上げ可能とされている。尚、駆動ローラ８及び偏芯カム１４は図示しない駆動機構によって回転駆動可能とされ、とくに駆動ローラ８は正逆転両方向に回転駆動可能とされている。
【００１７】
駆動ローラ８の後方近傍には、偏芯カム１４からなるカード押し上げ機構が設けられ、センサー１０でカード３が感知されると図示しない駆動機構により偏芯カム１４が１８０度回転し、カード１３を押し上げる。ここでカードストック部５に収納された複数のカード１３は図示しない付勢手段によって上方から適宜押圧され、安定保持されるようされている。尚、センサー１１により駆動ローラ８の回転が停止される。
【００１８】
次に、本実施例の作用を図２乃至図４で説明する。
カード挿入排出口２から挿入されたカード３は、センサー９により感知され駆動ローラ６ａと従動ローラ６ｂによって、リードライト部４方向に搬送される。カード３の先端部がセンサー１０によって感知されると、偏芯カム１４が１８０度回転し、カードストッカー５に収納されているカード１３の前部を押し上げカード３の進入を容易にする。駆動ローラ８は偏芯カム１４がカード１３を押し上げた後、回転駆動しカード３を搬送する。ゲート部１２を通過しカード１３の下部に進入したカード３の後端部がセンサー９を通過すると駆動ローラ６ａ及び駆動ローラ８は停止し、カード３が停止した状態でデータのリードライトが行なわれる。
【００１９】
ここで、カード３を再度排出する場合は、駆動ローラ６ａ及び駆動ローラ８はカード挿入排出口２方向へ回転駆動し、カード３をカード挿入排出口２へ搬送し排出する。一方、カード３を回収する場合には、前記リードライト部にてデータが初期化された後、偏芯カム１４が再度１８０度回転しカード１３の前部を降ろし、駆動ローラ６ａ及び駆動ローラ８をカードストック部５方向へ回転駆動しカード３をカードストック部５へ収納させる。このように、使用済となったカード３は再度使用できるように初期化されてカードストック部５に順次積層され収納される。
【００２０】
以上、本発明によるリーダライタユニットによれば、カードストック部に収納されたカードを偏芯カム構造によって押し上げて隙間を作るという簡単な操作によって、傷が付くことも無く確実に新たなカードをカードストック部への収納或いはカード挿入排出口への排出ができるばかりでなく、新たなカードとカードストック部に収納されているカードとがオーバーラップする際にデータのリードライトが行なえるため、リーダライタユニット本体の長さを短くできるため装置が小さくて済み、安価である。
【図面の簡単な説明】
【００２１】
【図１】従来のリーダーライタユニットの一実施例を示す説明側面図図である。
【図２】本発明に係るリーダライタユニットの一実施例を示す側面説明図である。
【図３】偏芯カムの動作を説明する側面説明図である。
【図４】リードライト時の動作を説明する側面説明図である。
【符号の説明】
【００２２】
１                  リーダライタユニット本体
２                  カード挿入排出口
３、１３            カード
４                  リードライト部
５                  カードストック部
６ａ、７ａ、８      駆動ローラ
６ｂ、７ｂ、        従動ローラ
９、１０、１１      センサー
１２                  ゲート部
１４                  偏芯カム
【図１】
2006113978.tif 000003
【図２】
2006113978.tif 000004
【図３】
2006113978.tif 000005
【図４】
2006113978.tif 000006